(57)【要約】【課題】様々な真空検体採取方法を用いた場合であっても、キックバック現象が生じ難く、かつ細長い採血針を用いた場合であっても、針の変形や針刺し事故を生じさせることなく、安全にかつ容易に検体を採取することを可能とする栓体を得る。【解決手段】検体採取容器の筒状部の開口から該筒状部に液密的に圧入される圧入部１ｂと、圧入部１ｂに連なる把持部１ａとを有し、中空針の刺通を容易とするために周囲の部分に比べて厚みが相対的に薄い第１，第２の刺通部１ｃ，１ｄが設けられており、第１，第２の刺通部１ｃ，１ｄの厚みが異なっている、検体採取容器用栓体１。【選択図】図１
2008086606.tif 000002
【特許請求の範囲】
【請求項１】
一端に開口を有する筒状部が備えられている検体採取容器の該筒状部を閉成するための検体採取容器用栓体であって、
前記検体採取容器の筒状部の前記開口から前記筒状部に液密的に圧入される圧入部と、前記圧入部に連ねられており、前記検体採取容器の筒状部外に位置される把持部とを備え、
中空針の刺通を容易とするために周囲の部分に比べて厚みが相対的に薄い刺通部が設けられており、前記刺通部として、厚みが異なる第１，第２の刺通部が設けられていることを特徴とする、検体採取容器用栓体。
【請求項２】
前記第１，第２の刺通部の内の少なくとも一方の刺通部が、外表面に凹部を形成することにより設けられている、請求項１に記載の検体採取容器用栓体。
【請求項３】
前記第１，第２の刺通部の双方が前記凹部を形成することにより設けられており、かつ第１の刺通部が設けられている部分の凹部と、第２の刺通部が設けられている部分の凹部との深さが異なっている、請求項２に記載の検体採取容器用栓体。
【請求項４】
前記第２の刺通部が設けられている部分の凹部が、開口径に比べて深さが大きくされている略円筒状の形状を有する、請求項２または３に記載の検体採取容器用栓体。
【請求項５】
前記第１の刺通部が栓体の中央部に設けられており、前記第２の刺通部が、栓体の中央部から離れた領域に設けられている、請求項１〜４のいずれか１項に記載の検体採取容器用栓体。
【発明の詳細な説明】
【技術分野】
【０００１】
本発明は、真空採血管などの、様々な検体が採取される検体採取管を閉成するための栓体に関し、より詳細には、中空針により刺通される刺通部が設けられている検体採取容器用栓体に関する。
【背景技術】
【０００２】
従来、血液を採取するにあたっては真空採血法が広く用いられている。真空採血法では、まず、血管に挿入される第１の針先が一端に設けられ、他端に真空採血管の栓体を刺通する第２の針先が設けられた中空の採血針を採血ホルダーにセットする。次に、採血ホルダーにセットされた採血針の第１の針先を血管に進入させ、その状態で採血ホルダーの後端開口側から真空採血管を挿入し、真空採血管の栓体に、採血針の第２の針先を刺通させる。それによって、血管と真空採血管とが採血針を通して連通され、圧力差により、真空採血管に血液が採取される。
【０００３】
ところが、真空採血管の栓体を採血針の第２の針先で刺通するに際し、かなりの力を必要としていた。すなわち、栓体の刺通抵抗が高いため、検査従事者はかなりの力でもって採血針の第２の針先により上記栓体を刺通しなければならなかった。他方、臨床検査等においては、一人の被検査者から複数本の真空採血管に採血するのが普通であり、また多数の被採血者から採血するため、検査従事者は多くの真空採血管の栓体を採血針の第２の針先により刺通しなければならなかった。そのため、検査従事者の負担が非常に大きかった。
【０００４】
そこで、下記の特許文献１や特許文献２には、真空採血管の栓体表面において、採血針が刺通される刺通部の肉厚を薄くした構造が提案されている。すなわち、栓体の中央部分に凹部を設けて、刺通部の肉厚を薄くすることにより、刺通抵抗が軽減されている。
【特許文献１】実開平５−３９５０８号公報
【特許文献２】特開昭５３−１２４４９５号公報
【発明の開示】
【発明が解決しようとする課題】
【０００５】
特許文献１や特許文献２に記載の栓体のように、刺通部の肉厚を薄くした場合には、採血針と栓体との摩擦力が低下して刺通抵抗が軽減され、栓体を採血針で刺通し易くなる。他方、採血針においては、栓体に刺通される第２の針先側に、血液漏出防止用のゴム鞘が取り付けられている。ゴム鞘は、採血針の第２の針先を栓体に刺通させると長さ方向に圧縮されることになる。そして、上記のように、刺通抵抗を低めるために栓体の刺通部の肉厚を薄くした場合、採血針と栓体との摩擦力が低下することとなるため、上記圧縮されたゴム鞘が復元しようとする弾性反発力により、検査従事者が手を離すと、採血針と栓体とが分離する方向に栓体が押し戻される、所謂キックバック現象が生じがちであった。キックバック現象が生じると、真空採血管に必要な量の血液を採取することができなくなる恐れがある。
【０００６】
上記のようなキックバック現象を防止するには、刺通部の厚みをある程度以上の厚みとすることが望ましく、一般的な弾性体からなる栓体では通常５ｍｍ程度としなければならない。
【０００７】
他方、その他の真空採血法として、シリンジにより血液を採取した後、シリンジの針を真空採血管の栓体に刺通し、真空採血管内に血液を分注する方法も採用されている。或いは、真空採血管に血液を採取した後、シリンジの針を真空採血管の栓体に刺通し、真空採血管内の血液を他の検査容器に分注することも考えられる。シリンジに取り付けられる針は皮膚を刺通するための注射針と同様であるため、針の長さが比較的長い。また、針を栓体に刺通するにあたっては、採血ホルダーを用いる真空採血法の場合は、真空採血管が採血ホルダーに規制されているので、真空採血管をほぼまっすぐに、かつ、ぐらつかずに挿入することができ、採血針を真空採血管の栓体に確実に刺通できるのに対し、シリンジを用いる場合は、手でシリンジと真空採血管を保持して針を栓体に刺通するため、刺通時にぐらつきが生じがちである。従って、栓体の刺通部の厚みが５ｍｍ程度もあると、針で栓体を刺通する際に針が曲がったり、針先が逸れて、検査従事者の皮膚を傷つけたりする、針刺し事故が生じるおそれがあった。
【０００８】
上記の通り、ゴム鞘が取り付けられた採血針を刺通させた場合にキックバック現象を防止することができ、さらに、ゴム鞘が取り付けられておらず、かつ、針の長さが比較的長いシリンジの針などを刺通させた場合であっても、針が曲がったり針刺し事故などが生じることがなく、容易に刺通させることができる栓体を得ることは非常に困難であった。
【０００９】
本発明の目的は、真空採血管を用いた採血方法における上記キックバック現象を防止することができ、かつシリンジに取り付けられる注射針のような比較的長い針を用いた場合であっても、確実に刺通させることが可能とされている、検体採取容器用栓体を提供することにある。
【課題を解決するための手段】
【００１０】
本発明によれば、一端に開口を有する筒状部が備えられている検体採取容器の該筒状部を閉成するための検体採取容器用栓体であって、前記検体採取容器の筒状部の前記開口から前記筒状部に液密的に圧入される圧入部と、前記圧入部に連ねられており、前記検体採取容器の筒状部外に位置される把持部とを備え、中空針の刺通を容易とするために周囲の部分に比べて厚みが相対的に薄い刺通部が設けられており、前記刺通部として、厚みが異なる第１，第２の刺通部が設けられていることを特徴とする、検体採取容器用栓体が提供される。
【００１１】
本発明においては、好ましくは、前記第１，第２の刺通部の内少なくとも一方の刺通部が、外表面に凹部を形成することによって設けられている。この場合には、栓体の製造に際し、外側の表面に凹部を形成するように栓体を成形するだけで、厚みの薄い刺通部を容易に形成することができる。
【００１２】
また、好ましくは、前記第１，第２の刺通部の双方が外表面に凹部を形成することにより設けられ、かつ第１の刺通部が設けられている部分の凹部と、第２の刺通部が設けられている部分の凹部との深さが異ならされている。この場合には、凹部の深さを変えることで、第１，第２の刺通部の刺通抵抗を容易に調整することができ、かつ、凹部の深さの差により第１の刺通部と第２の刺通部とを容易に見分けることができる。
【００１３】
また、好ましくは、前記第２の刺通部が設けられている部分の凹部が、開口径に比べて深さが大きくされている略円筒状の形状を有する。この場合には、第２の刺通部が設けられている部分の凹部の深さを大きくすることができるので、刺通抵抗を十分に軽減させることができる。
【００１４】
本発明においては、好ましくは、前記第１の刺通部が栓体の中央部に設けられており、前記第２の刺通部が、中央部から離れた領域に設けられている。この場合には、中央部に針先を近づけて、第１の刺通部において採血針を容易に刺通させることができる。また、第２の刺通部が圧入部の中央から離れた領域に設けられているので、第２の刺通部においてシリンジの針などを刺通させる際には、針先を第２の刺通部に容易に導くことができる。
【発明の効果】
【００１５】
本発明に係る検体採取容器用栓体では、厚みが異なる第１，第２の刺通部が設けられている。採血針及び採血ホルダーを用いた真空採血法による検体の採取に際しては、第１の刺通部において採血針を刺通させればよく、第１の刺通部は、採血針が刺通可能で、かつ、キックバック現象を抑制することができる厚みとされているので、検査従事者の負担を著しく軽減することが可能となる。
【００１６】
他方、シリンジに注射針のような針を取り付けて検体の採取を行った場合などには、次に、シリンジに取り付けられている長い針を上記第２の刺通部に刺通させればよい。その場合、シリンジに取り付けられている注射針のような針にはゴム鞘は装着されていないので、キックバック現象は生じない。すなわち、第２の刺通部の厚みを第１の刺通部と比較して相対的に薄くしたとしても、キックバック現象は生じない。また、採血ホルダーを用いない場合であっても、厚みの薄い第２の刺通部であれば刺通抵抗が軽減できるので、容易にかつぐらつきがなく刺通させることができる。よって、針の変形や針刺し事故も生じ難い。
【００１７】
従って、本発明に係る栓体を用いることにより、上記のように検体採取方法に応じて、第１，第２の刺通部を使い分けることにより、確実にかつ容易に真空採血管などの検体採取容器に検体を採取することが可能となる。
【発明を実施するための最良の形態】
【００１８】
以下、図面を参照しつつ、本発明の具体的な実施形態を説明することより、本発明を明らかにする。
【００１９】
図１（ａ）〜（ｃ）は、本発明の第１の実施形態にかかる栓体の正面断面図、平面図及び底面図であり、図２はその正面図である。
【００２０】
栓体１は、把持部１ａと、把持部１ａの下端に連ねられた圧入部１ｂとを有する。圧入部１ｂは、有底管などの検体採取容器の筒状部に圧入される部分である。通常、真空採血管などの検体採取容器は、一端に開口を有する筒状部を備える。そして、栓体１は、この筒状部の開口から筒状部に圧入される。圧入部１ｂは、開口から筒状部に液密的に圧入される部分を構成しており、把持部１ａは、圧入部１ｂよりも径が大きく、筒状部外に位置される部分となる。
【００２１】
もっとも、把持部１ａは、圧入部１ｂと同じ径で構成されていてもよい。好ましくは、本実施形態のように、把持部１ａの径を圧入部１ｂよりも大きくすることにより、栓体の全体が筒状部内にはまり込むことを確実に防止できる。
【００２２】
栓体１の特徴は、中空針の刺通を容易とするために周囲の部分に比べて厚みが相対的に薄い第１，第２の刺通部１ｃ，１ｄが設けられていることにある。第２の刺通部１ｄの厚みは、第１の刺通部１ｃの厚みよりも薄くされている。
【００２３】
本実施形態では、第１の刺通部１ｃは、栓体１の外側に開いた凹部１ｅを形成することにより栓体１の中央に比較的大きな面積の領域として形成されている。この凹部１ｅの側壁は曲面状とされており、栓体１の外表面に近づくにつれて凹部１ｅの径が大きくされている。そして、この第１の刺通部１ｃの外側近傍に、細長い円筒状の凹部を形成することにより、第２の刺通部１ｄが設けられている。第２の刺通部１ｄは、凹部１ｆの底の下方に位置している栓体部分である。
【００２４】
第２の刺通部１ｄは、開口径に比べて深さが大きな略円筒状の凹部１ｆのような凹部を設けることにより形成されているので、例えば注射針のような長い針の針先を上記凹部１ｆ内に挿入するだけで、該針を第２の刺通部１ｄに容易に導くことができる。
【００２５】
従って、凹部１ｆの径は、使用される注射針のような針の径よりも大きくされている。
【００２６】
上記栓体１は、真空採血管における有底管などの検体採取容器の筒状部の開口から圧入され、内部を気密的に閉成する。従って、栓体１は、通常、後述する様々な弾性材料により形成されている。
【００２７】
第１の実施形態の栓体１では、第２の刺通部１ｄの厚みが、第１の刺通部１ｃの厚みよりも薄くされている。従って、例えば検体採取容器としての真空採血管の栓体として用いた場合、前述したいずれの真空採血法を用いた場合であっても、確実にかつ容易に採血及び検査を行うことができる。
【００２８】
採血針、採血管ホルダー及び真空採血管を用いた第１の採血方法では、採血管ホルダーに採血針をセットした状態で、採血針の第１の針先を血管内に挿入する。そして、採血管ホルダーの後端開口から真空採血管を挿入し、採血針の第２の針先により、真空採血管の栓体を刺通する。本実施形態の栓体１を用いた場合、採血針の第２の針先を、上記栓体１の中央に大きな面積にわたって設けられた第１の刺通部１ｃにおいて刺通させればよい。第１の刺通部１ｃは比較的大きな面積を有するため、容易に採血針の第２の針先を第１の刺通部１ｃに導き、刺通させることができる。第１の刺通部の肉厚はその周囲の部分の肉厚よりも薄くされているので、刺通抵抗は若干低く、従って、確実にかつ容易に採血針の第２の針先により栓体１の第１の刺通部１ｃを刺通することができる。
【００２９】
しかも、第１の刺通部は、刺通後における採血針と栓体１との摩擦抵抗がある程度以上の大きさとなる厚みとされている。よって、採血針の第２の針先側に装着されているゴム鞘が圧縮されたとしても、圧縮されたゴム鞘の弾性反発力によって、採血針と栓体とがずれ難い。すなわち、前述したキックバック現象を確実に抑制することができる。従って、検査従事者は、採血針を栓体１に刺通した後に、大きな力で真空採血管を採血針側に押圧し続ける必要はなく、検査従事者の負担が軽減される。
【００３０】
他方、前述した第２の真空採血法、すなわちシリンジに注射針のような針をセットして、シリンジ内に血液を採取した後に、シリンジ内の血液を真空採血管に分注する方法では、上記シリンジの針を第２の刺通部１ｄに導けばよい。この場合、第２の刺通部１ｄの上方に、細長い円筒状の凹部１ｆが設けられているので、注射針のような長い針の針先を上記凹部１ｆに導くだけで、容易に第２の刺通部１ｄに針を誘導することができる。そして、第２の刺通部１ｄの厚みは、第１の刺通部１ｃの厚みに比べて薄いため、採血ホルダーを用いない採血方法であっても、刺通抵抗が低いので容易にかつぐらつきがなく刺通させることができる。
【００３１】
よって、刺通時に、長い針が撓んだり、曲がったりし難く、かつ針先が逸れて針刺し事故が生じるおそれもない。
【００３２】
第１の実施形態の栓体１では、第１の刺通部１ｃは、栓体１の中央部分においてある程度広い領域にわたり形成されていたが、図３（ａ）及び（ｂ）に示す変形例のように、栓体１の中央に、さらに凹部１ｇを設け、それによって凹部１ｇの下方に第１の刺通部１ｃを形成してもよい。この場合には、第１の刺通部１ｃの厚みを図１に示した栓体１の場合に比べて薄くすることができ、第１の刺通部１ｃの刺通抵抗より低くすることができる。
【００３３】
また、本変形例では、第１の刺通部１ｃに凹部１ｇが設けられているので、第１の刺通部１ｃ及び第２の刺通部１ｄの位置を、目視により容易に確認することができ、それによって、採血法に応じて、刺通部分を容易に選択することができる。
【００３４】
このように、本発明においては、第１，第２の刺通部の双方が、凹部を設けることにより形成された薄肉部であってもよい。
【００３５】
また、本変形例においては、第１の刺通部１ｃが栓体１の中央部に設けられ、第２の刺通部１ｄが中央から離れた位置に設けられているので、その位置によっても、第１，第２の刺通部を容易に区別することができる。
【００３６】
上記栓体１を構成する弾性材料については、特に限定されず、例えば天然ゴム、ブチルゴム、塩素化ブチルゴム、臭素化ブチルゴム、シリコーンゴムなどの様々なゴム、あるいは、スチレン系、塩化ビニル系、オレフィン系、ウレタン系、ポリエステル系もしくはポリアミド系などの各種エラストマーから用いることができる。
【００３７】
また、検体採取容器が真空採血管である場合には、栓体の少なくとも血液が接触する表面部分を、血液付着を防止する血液付着防止剤でコーティングすることが好ましい。このような血液付着防止剤としては、シリコーンオイル、アルコール変性シリコーンオイル、ポリエチレングリコール、ポリプロピレングリコール、ポリオキシエチレン−ポリオキシアルキレン縮合体、ポリオキシアルキレンアルキレングリコール、ポリオキシアルキレングリコール誘導体などが挙げられる。
【００３８】
なお、栓体に血液付着防止剤によるコーティングを施す場合、検体採取容器の栓体以外の部分においても、血液が接触する表面部分を同様に血液付着防止剤でコーティングしておくことが望ましい。
【００３９】
検体採取容器が真空採血管である場合、筒状部を構成する有底管は通常、ガラス、あるいはポリエチレンテレフタレート、ナイロン、ポリプロピレン、ポリエチレン、ポリスチレン、ポリカーボネート、硬質塩化ビニル樹脂、アクリル樹脂などの合成樹脂からなる。従って、これらの材料からなる有底管を用意し、減圧下で上記栓体１により密封することにより真空採血管を得ることができる。
【００４０】
なお、上記第１の刺通部１ｃの厚みは、４〜８ｍｍの範囲が好ましく、より好ましくは５〜７ｍｍの範囲である。４ｍｍを下回ると、採血針と採血管ホルダーとを用いて採血する場合、キックバック現象が生じるおそれがあり、８ｍｍを上回ると刺通抵抗が大きくなりすぎ、使いにくくなることがある。
【００４１】
第２の刺通部１ｄの厚みは、１〜４ｍｍ、より好ましくは２〜３ｍｍの範囲が好ましい。１ｍｍを下回ると、例えば真空採血管の場合では、ガスバリア性が低下し、内部の減圧が不足し、規定量の検体を採取できないことがある。４ｍｍを超えると、刺通抵抗が大きくなりすぎ、使いづらいことがある。
【００４２】
次に、具体的な実験例につき説明する。
【００４３】
外径１３ｍｍ及び長さ１００ｍｍのポリエチレンテレフタレートからなる有底管の開口に圧入される栓体を臭素化ブチルゴムで作製した。栓体の形状は図１に示した栓体１と同様とし、把持部１ａの外径を１７ｍｍ、圧入部１ｂの外径を１２．５ｍｍとし、第１，第２の刺通部１ｃ，１ｄの厚みは下記の表１に示す通りとした。なお、把持部１ａの高さ方向寸法は６．５ｍｍ、圧入部１ｂの高さ方向寸法は８ｍｍ（有底管内面に密着するストレート部の高さ６．５ｍｍ、圧入し易くするために先端に向かって徐々に径を小さくした先端部の高さ１．５ｍｍ）とした。このようにして、第１，第２の刺通部の厚みが異なる実施例１〜４の栓体と、比較のために、比較例１及び２として、第２の刺通部を設けず、第１，第２の刺通部に相当する刺通部の厚みが一様とされている従来の栓体を用意した。
【００４４】
上記のようにして得られた実施例１〜４及び比較例１の栓体について、外径１３ｍｍ及び長さ１００ｍｍのポリエチレンテレフタレート有底管の開口端に、２０ｋＰａの絶対圧力下で栓体を圧入し、閉栓した。このようにして、内部が減圧された真空採血管を作製した。
【００４５】
実施例１〜４及び比較例１〜２で得られた真空採血管について、以下の通り評価を行った。
【００４６】
（第１の刺通部におけるキックバック現象の有無）
採血ホルダーに真空採血用採血針（テルモ社製、２１Ｇ）を装着し、外側の針先（第１の針先）を蒸留水を満たしたビーカーに浸漬したまま、採血ホルダー内に実施例１〜４及び比較例１〜２で得られた真空採血管を挿入し、栓体の第１の刺通部に採血針の内側の針先（第２の針先）を刺通させ、真空採血管内に蒸留水を吸引が停止するまで吸引した。栓体の第１の刺通部に採血針を刺通した後は、手を真空採血管から離して、キックバック現象の有無を観察するとともに、吸引前後の重量変化から吸水量を求めた。結果を下記の表１に示す。
【００４７】
（第２の刺通部におけるキックバック現象の有無）
次に、実施例１〜４及び比較例１〜２で得られた真空採血管を別途用意し、シリンジ（テルモ社製、容量１０ｍＬ）にシリンジ用針（テルモ社製、２１Ｇ）を装着し、シリンジ内に蒸留水を満たした後に、シリンジの針を栓体の第２の刺通部に刺通させ、蒸留水をシリンジ内から真空採血管内に吸引が停止するまで吸引した。栓体の第２の刺通部にシリンジの針を刺通した後は、手を離してキックバック現象の有無を観察するとともに、吸引前後の重量変化から吸水量を求めた。結果を下記の表１に示す。
【００４８】
（第１の刺通部における刺通抵抗）
採血ホルダーに真空採血用採血針（テルモ社製、２１Ｇ）を装着し、引張圧縮試験器（安田精機社製、ＬＲＸ型）の一方の固定部に固定した。引張圧縮試験器の他方の固定部に、別途用意した実施例１〜４及び比較例１〜２で得られた真空採血管を固定した。その後、２０ｍｍ／秒の速度で栓体の第１の刺通部に採血針を垂直に刺通させ、そのときの最大の刺通抵抗を測定した。結果を下記の表１に示す。
【００４９】
（第２の刺通部における刺通抵抗）
シリンジにシリンジ用針（テルモ社製、２１Ｇ）を装着し、上記引張圧縮試験器の一方の固定部に固定した。次に、引張圧縮試験器の他方の固定部に、別途用意した実施例１〜４及び比較例１〜２で得られた真空採血管を固定した。その後、２０ｍｍ／秒の速度で栓体の第２の刺通部にシリンジの針を垂直に刺通させ、そのときの最大の刺通抵抗を測定した。結果を下記の表１に示す。
【００５０】
【表１】
2008086606.tif 000003
【００５１】
表１から明らかなように、実施例１〜３で得られた真空採血管については、第１の刺通部及び第２の刺通部のいずれにおいてもキックバック現象は認められなかった。また、刺通抵抗は、第１の刺通部に比べて第２の刺通部の刺通抵抗が低く、従って、シリンジに装着した長いシリンジ用針を用いた場合においても、第２の刺通部を刺通させることで針の変形や曲がり等を生じさせ難くできることがわかる。
【００５２】
また、実施例３では、第１の刺通部及び第２の刺通部のいずれにおいてもキックバック現象は認められなかったものの、第２の刺通部の厚みが若干厚いため、シリンジ用針を第２の刺通部に刺通させた場合、針の変形が若干認められた。
【００５３】
実施例４では、第１の刺通部の厚みが４ｍｍと若干薄いため、採血針を第１の刺通部に刺通させた際にキックバック現象が僅かに起こった。また、刺通抵抗は、第２の刺通部の刺通抵抗が第１の刺通部に比べて小さいため、シリンジに装着した長い針を第２の刺通部に刺通させた場合には、針の変形や曲がり等は生じなかった。
【００５４】
これに対して、刺通部の厚みが３ｍｍであり一様である比較例１では、シリンジ用針を刺通部に刺通させた場合の針の変形や曲がりは生じなかったが、キックバック現象が生じた。他方、刺通部の厚みが７ｍｍであり一様である比較例２では、キックバック現象は生じなかったものの、シリンジ用針を刺通部に刺通させた場合、針の変形や曲がりが生じた。
【００５５】
なお、上記実施形態及び実施例では、真空採血管に取り付けられる栓体につき説明したが、本発明の栓体は、真空採血管以外の様々な検体を採取する検体採取容器に取り付けられる栓体として好適に用いることができる。
【図面の簡単な説明】
【００５６】
【図１】（ａ）は本発明の第１の実施形態にかかる栓体の正面断面図であり、（ｂ）はその平面図、（ｃ）は底面図。
【図２】第１の実施形態の栓体の正面図。
【図３】（ａ），（ｂ）は、第１の実施形態の栓体の変形例にかかる栓体の正面断面図及び平面図。
【符号の説明】
【００５７】
１…栓体
１ａ…把持部
１ｂ…圧入部
１ｃ…第１の刺通部
１ｄ…第２の刺通部
１ｅ…凹部
１ｆ…凹部
１ｇ…凹部
【図１】
2008086606.tif 000004
【図２】
2008086606.tif 000005
【図３】
2008086606.tif 000006